(57)【特許請求の範囲】
【請求項１】
ズーム撮影光学系のズーム比を指示するズーム比指示手段と、
撮影モードを選択する撮影モード選択手段と、
第１の閃光手段と、
該第１の閃光手段よりも狭い配光特性を有する第２の閃光手段と、
前記ズーム比指示手段により指示されたズーム比と前記撮影モード選択手段により選択された撮影モードとに応じて、前記第１の閃光手段又は前記第２の閃光手段の何れかを選択するとともに、前記撮影モード選択手段により選択された撮影モードに応じて基準となる基準ズーム比を設定し、該設定した基準ズーム比と前記ズーム比指示手段により指示されたズーム比を比較して、前記第１の閃光手段又は前記第２の閃光手段の何れかを選択する選択手段と、
前記選択手段により設定された基準ズーム比を撮影者が指示するための指示手段と、
を備えたことを特徴とするデジタルカメラ。
【請求項２】
前記撮影モード選択手段により選択された撮影モードに応じてゲインの上限を設定し、該ゲインの上限以下の範囲内で被写体輝度に応じたゲインを設定するゲイン設定手段と、
該ゲイン設定手段により設定されたゲインに基づいて撮像信号の信号レベルを調整する信号レベル調整手段と、
を更に備えたことを特徴とする請求項１記載のデジタルカメラ。
【請求項３】
前記ゲイン設定手段は、
前記撮影モード選択手段により画質を優先する撮影モードが選択された場合は、他のモードが選択された場合に比べ、前記ゲインの上限を低く設定する、
ことを特徴とする請求項２記載のデジタルカメラ。
【請求項４】
前記ゲインの上限を指示する上限指示手段を更に備え、
前記ゲイン設定手段は、前記上限指示手段によりゲインの上限が指示されている場合は、前記撮影モード選択手段により選択された撮影モードに関わらず、前記上限指示手段により指示されているゲインの上限を設定する、
ことを特徴とする請求項２記載のデジタルカメラ。
【発明の詳細な説明】
【０００１】
【発明の属する技術分野】
本発明は、撮影者の撮影意図に合わせて適切な撮影を行うのに好適なデジタルカメラに関する。
【０００２】
【従来の技術】
デジタルカメラでは、例えば１ｓｔレリース操作が行われた後等のような露光前に、撮像素子や専用の測光素子等を介して被写体の明るさが測定され、該測定結果に基づく被写体輝度に応じて絞りやシャッタースピード等が決定され、撮影が行われている。また、測定された被写体の明るさが暗い場合には、適宜、ストロボ発光や撮像素子からの出力信号のゲインアップが行われている。例えば、離れた被写体に対しては、ストロボ光が十分に到達せずに十分な被写体輝度が得られない場合がある。そこで、このようなストロボ光のみでは十分な被写体輝度が得られない場合には、撮像素子からの出力信号のゲインアップが適宜行われている。
【０００３】
尚、このようなデジタルカメラの中には、ゲインを固定にする固定モードと、測定された被写体の明るさが暗い場合に自動的にゲインアップが行われるようなオートゲインモードとを選択可能に構成されたカメラもある。
また、ズーム機能を備えたデジタルカメラにおいては、ズーム比に応じて撮影画角が変化するので、１つのストロボで全焦点範囲に対応するのは容易ではない。そこで、高倍率のズーム機能を備えたデジタルカメラの中には、配光特性の異なる２種類のストロボ、すなわち、主にワイド側のズーム比に適した配光特性（照明範囲（照明角度範囲）は広いが光の到達距離は短い）を有するストロボと、主にテレ側のズーム比に適した配光特性（照明範囲は狭いが光の到達距離は遠い）を有するストロボを備えて、ズーム比に応じた全焦点範囲に対応可能に構成されたものもある。
【０００４】
【発明が解決しようとする課題】
ところで、前述のゲインアップはＳ／Ｎ比を劣化させることになるので、むやみにゲインアップするのは好ましくなく、適切なゲインが設定されるべきである。しかしながら、設定するゲインを適切に選択するのは容易ではなく、例えば、撮影者により画質優先に係る設定や、手ぶれ防止設定や、高速シャッタースピード優先に係る設定、等といった撮影者の撮影意図を表す設定が為されたことによって、その選択が異なるものである。そこで、そのような事情から、撮影者の撮影意図に合わせて適切なゲインが設定されるようなデジタルカメラが望まれている。
【０００５】
また、前述の配光特性の異なる２種類のストロボを備えたデジタルカメラにおいては、使用するストロボの選択がズーム比に応じて一律に決まっていた。例えば、ズーム比がテレ側にあるときに前述のテレ側のズーム比に適したストロボが発光されるように一律に制御されているものの場合には、ズーム比がテレ側にあるときにワイド側のズーム比に適したストロボを発光させることはできない。従って、このデジタルカメラの場合、ズーム比がテレ側にあるときに、ワイド側のズーム比に適したストロボを発光させて周辺光量を落とさないようにしたい、等といった撮影者の撮影意図を反映することができなかった。
【０００６】
また、ストロボを備えたデジタルカメラ（前述の２種類のストロボを備えたものも含む）においては、低輝度被写体に対して、ストロボ発光と共に輝度の不足を補うためのゲイン設定（ゲインアップ）に係る処理が、一定のルールに基づいて一律に行われていた。従って、撮影者の撮影意図に合わせて適切なゲインを設定することができなかった。
【０００７】
本発明の課題は、上記実情に鑑み、撮影者の撮影意図に合わせて適切なゲインアップを行うことができるデジタルカメラを提供することであり、また配光特性の異なる２種類のストロボを備えたデジタルカメラにおいては、撮影者の撮影意図に合わせて適切なストロボを選択することができると共に適切なゲインアップを行うことができるデジタルカメラを提供することである。
【０００８】
【課題を解決するための手段】
本発明の第一の態様は、ズーム撮影光学系のズーム比を指示するズーム比指示手段と、撮影モードを選択する撮影モード選択手段と、第１の閃光手段と、該第１の閃光手段よりも狭い配光特性を有する第２の閃光手段と、前記ズーム比指示手段により指示されたズーム比と前記撮影モード選択手段により選択された撮影モードとに応じて、前記第１の閃光手段又は前記第２の閃光手段の何れかを選択するとともに、前記撮影モード選択手段により選択された撮影モードに応じて基準となる基準ズーム比を設定し、該設定した基準ズーム比と前記ズーム比指示手段により指示されたズーム比を比較して、前記第１の閃光手段又は前記第２の閃光手段の何れかを選択する選択手段と、前記選択手段により設定された基準ズーム比を撮影者が指示するための指示手段と、を備えたデジタルカメラである。
この構成によれば、指示されたズーム比と選択された撮影モードとに応じて第１又は第２の閃光手段が選択される。これにより、撮影者の撮影意図に合わせて適切な閃光手段を選択することができる。
また、この構成によれば、何れの閃光手段を選択するかの判断基準となる基準ズーム比が、選択された撮影モードに応じて設定される。これにより、撮影者の撮影意図に合わせて適切な基準ズーム比を設定することができる。
さらに、この構成によれば、撮影者により指示された基準ズーム比に応じて何れかの閃光手段が選択されるようになる。これにより、例えば撮影者が撮影意図を反映するのに最適な基準ズーム比を指示することにより、その撮影意図に合わせた閃光手段を選択させることができる。
【００１２】
本発明の第二の態様は、前記第一の態様において、前記撮影モード選択手段により選択された撮影モードに応じてゲインの上限を設定し、該ゲインの上限以下の範囲内で被写体輝度に応じたゲインを設定するゲイン設定手段と、該ゲイン設定手段により設定されたゲインに基づいて撮像信号の信号レベルを調整する信号レベル調整手段と、を更に備えた構成である。
この構成によれば、撮影モードに応じてゲインの上限が設定され、その範囲内で被写体輝度に応じたゲインが設定されるようになる。尚、撮影モードとは、高感度モードやポートレートモード等のことを指し、撮影者が撮影意図を反映させる際に使用されるものである。これにより、撮影者の撮影意図に合わせて適切なゲインを設定することができる。尚、撮像信号の信号レベルを調整するとは、例えば、撮像素子からの出力信号であるアナログ電気信号の信号レベルを調整することや、撮像素子からの出力信号に基づくデジタル電気信号である画像データに対し所定の画像処理を行うこと、等のことである。
【００１３】
本発明の第三の態様は、前記第二の態様において、前記ゲイン設定手段は、前記撮影モード選択手段により画質を優先する撮影モードが選択された場合は、他のモードが選択された場合に比べ、前記ゲインの上限を低く設定する、構成である。
この構成によれば、画質を優先する撮影モードが選択されたときは、他のモードが選択されたときよりも、ゲインの上限が低く設定される。尚、画質を優先する撮影モードは、例えばポートレートモード等である。これにより、画質を優先するという撮影者の撮影意図を反映することができる。
【００１４】
本発明の第四の態様は、前記第二の態様において、前記ゲインの上限を指示する上限指示手段を更に備え、前記ゲイン設定手段は、前記上限指示手段によりゲインの上限が指示されている場合は、前記撮影モード選択手段により選択された撮影モードに関わらず、前記上限指示手段により指示されているゲインの上限を設定する、構成である。
この構成によれば、上限指示手段により指示されたゲインの上限が優先的に設定されるようになる。これにより、例えば撮影者がゲインの上限を指示することにより、撮影者の撮影意図を反映したゲインを設定させることができる。
【００２０】
【発明の実施の形態】
以下、本発明の実施の形態を図面を参照しながら説明する。
図１は、本発明の一実施の形態に係るデジタルカメラの構成例である。
同図において、撮影レンズ部１は、１倍（等倍）乃至８倍までのズーム比に対応するズーム用レンズ部（ズーム撮影光学系）２やフォーカス用レンズ部３等を含んで構成され、被写体像を撮像素子４へ結像する。
【００２１】
撮像素子４は、例えばＣＣＤ（Charge Coupled Device ）であり、撮影レンズ部１の作用により撮像素子４上に結像されている被写体像を光電変換して画像を表現しているアナログ電気信号（撮像信号）を出力する。
撮像部５は、ノイズ成分を低減させるＣＤＳ（Correlated Double Sampling）、信号レベルを調整するＡＧＣ（Automatic Gain Control）、及びアナログ電気信号をデジタル電気信号に変換するＡ／Ｄ等を含んで構成され、撮像素子２から出力されたアナログ電気信号のノイズ成分を低減させると共に、設定されているゲインに基づいて信号レベルを調整し、それをデジタル電気信号に変換して出力する。
【００２２】
また、撮像部５、ＤＲＡＭ６、画像処理部７、圧縮伸長部８、ＬＣＤディスプレイ９、ＡＦ／ＡＥ部１０、ＣＰＵ１１は、何れもバス１２に接続されており、相互にデータの授受を行うことができる。
ＤＲＡＭ（ Dynamic Random Access Memory ）６は、撮像部５から出力されるデジタル電気信号である画像データや画像処理部７による各種画像処理における処理中の画像データ等の一時保存用として、或いはＣＰＵ１１による制御処理の実行のためのワークエリア等として使用されるメモリである。
【００２３】
画像処理部７は、画像データの記録の際に行うガンマ補正やホワイトバランス補正等の各種補正処理や、画像を構成する画素数を増減させる画像の拡大・縮小処理（リサイズ処理）、等といった各種の画像処理を行う。
圧縮伸長部８は、画像データの記録・再生のためのＪＰＥＧ（Joint Photographic Experts Group）方式等による画像データの圧縮・伸張処理を行う。
【００２４】
メモリカード１３は、このデジタルカメラに着脱可能な記録媒体であって、このデジタルカメラで撮影された画像を表現している画像データ等を記録して保存する。尚、不図示ではあるが、このメモリカード１３は、カードＩ／Ｆを介して圧縮伸長部８に接続される。
【００２５】
ＬＣＤディスプレイ９は、画像データで表現されている撮影画像や各種メニュー等を表示する。尚、不図示ではあるが、このＬＣＤディスプレイ９は、ＬＣＤドライバを介してバス１２に接続される。
ＡＦ／ＡＥ部１０は、撮像素子４の出力信号に基づく画像データに基づいて焦点位置を求める等といったＡＦ（自動焦点調節）処理や、その画像データに基づいて被写体の明るさを測定して露出を求める等といったＡＥ（自動露出）処理を行う。尚、ＡＥ処理において、被写体の明るさを測定するのに、例えば専用の測光素子等を用いて測定するようにしても良い。
【００２６】
ＣＰＵ１１は、中央演算処理部であり、フラッシュメモリ１４に格納されているカメラプログラムを実行することで、このデジタルカメラ全体の動作を制御する。例えば、前述のＡＦ／ＡＥ部１０により求められた焦点位置に基づいて被写体距離を算出する処理等を行う。
【００２７】
フラッシュメモリ１４は、電気的に書き換え動作を行わせることも可能な不揮発性メモリであり、ＣＰＵ１１により実行されるカメラプログラムの他、そのカメラプログラムの実行中に使用される各種データ等が格納される。
駆動モータ／回路部１５は、ＣＰＵ１１の制御の基、ズーム用レンズ部２を駆動する。
【００２８】
駆動モータ／回路部１６は、ＣＰＵ１１の制御の基、フォーカス用レンズ部３を駆動する。
ストロボ制御／切り替え回路部１７は、ＣＰＵ１１の制御の基、使用するストロボとして、ストロボＡ１８若しくはストロボＢ１９を選択し、該選択したストロボの発光制御を行う。尚、ストロボは閃光手段の一例である。
【００２９】
ストロボＡ１８は、主にワイド側のズーム比に適した配光特性、すなわち、照明範囲（照明角度範囲）が広いという配光特性を有するストロボである。また、このストロボＡ１８は、１倍（等倍）乃至６倍までのズーム比に適応可能な配光特性を有するように構成されている。
【００３０】
ストロボＢ１９は、主にテレ側のズーム比に適した配光特性、すなわち、光の到達距離が遠いという配光特性を有するストロボである。また、このストロボＢ１９は、３倍乃至８倍までのズーム比に適応可能な配光特性を有するように構成されている。
【００３１】
操作手段２０は、撮影者からの各種指示を受け付け、それをＣＰＵ１１へ通知するための各種ボタン等であり、例えば、撮影指示を可能にするレリースボタン、ズーム比（テレ、ワイド）の指示を可能にするズームボタン、撮影シーンモード（撮影モード）の切り替え指示を可能にするシーン切り替えボタン、各種設定メニューのＬＣＤディスプレイ９への表示指示を可能にするメニューボタン等である。尚、撮影者は、前述の各種設定メニューを介して、ゲインの上限指示や、使用するストロボをズーム比に応じて自動的に選択させるオートストロボモードと使用するストロボを撮影者に指示可能にさせるマニュアルストロボモードの何れかのストロボモードの指示や、前述のオートストロボモードが指示されているときのストロボの選択の切り替え基準となる（選択基準となる）基準ズーム比の指示や、前述のマニュアルストロボモードが指示されているときの使用するストロボの指示や、ストロボの使用／未使用の指示、等といった各種指示が可能になる。
【００３２】
尚、本実施形態では、指示可能な撮影シーンモードとして、通常撮影に最適なオートモード、高感度撮影に最適な高感度モード、ポートレート撮影に最適なポートレートモードを備えているものとする。また、指示可能なズーム比は、１倍（等倍）乃至８倍までとする。
【００３３】
続いて、前述のストロボＡ１８とストロボＢ１９の配光特性と照射角について説明する。
図２(a) は、ストロボＡ１８の配光特性と照射角を示した図、同図(b) は、ストロボＢ１９の配光特性と照射角を示した図であり、それぞれ、カメラ通常姿勢時のストロボ発光を鉛直方向で断面にした図である。
【００３４】
同図(a) において、ストロボＡ１８は、発光部１８ａとその背面に配置されるリフレクタ（カサ，反射傘）１８ｂにより示されている。
同図(a) に示したように、ストロボＡ１８の配光角は、リフレクタ１８ｂの形状の作用により約６０°になるように構成され、ストロボＢ１９よりも照明範囲が広くなるように構成されている。これにより、ストロボＡ１８は、主にワイド側のズーム比に適した配光特性となり、同図(a) に示したような配光曲線が得られる。例えば、被写体相当の平面Ａにおいて、照射角の中心となる点Ｂの光量を１００％とすると、それぞれ中心の点Ｂから約６０°離れた点Ｃ及び点Ｄでは、光量が５０％となる。
【００３５】
また、同図(b) において、ストロボＢ１９は、発光部１９ａとその背面に配置されるリフレクタ１９ｂにより示されている。
同図(b) に示したように、ストロボＢ１９の配光角は、リフレクタ１９ｂの形状の作用により約３０°になるように構成され、ストロボＡ１８よりも光の到達距離が遠くなるように構成されている。これにより、ストロボＢ１９は、主にテレ側のズーム比に適した配光特性となり、同図(b) に示したような配光曲線が得られる。例えば、被写体相当の平面Ｅにおいて、照射角の中心となる点Ｆの光量を１００％とすると、それぞれ中心の点Ｆから約３０°離れた点Ｇ及び点Ｈでは、光量が５０％となる。
【００３６】
次に、上述したデジタルカメラのＣＰＵ１１によって行われる制御処理の一例として撮影処理について説明する。尚、この撮影処理は、ＣＰＵ１１がフラッシュメモリ１４に格納されているカメラプログラムを読み込んで実行することによって実現される。
【００３７】
図３は、その撮影処理の処理内容の一例を示すフローチャートである。尚、この撮影処理は、撮影者によりレリースボタンが押下されて撮影指示が為されたことにより開始される処理である。
同図において、まず、Ｓ３０１では、前述のＡＦ処理によりフォーカス用レンズ部３が合焦位置へ移動されて、前述のＡＥ処理により撮像素子４に結像されている被写体像が光電変換され、その撮像素子４の出力信号に基づく画像データに基づいて被写体の明るさが測定される、といった測光処理が行われる。
【００３８】
Ｓ３０２では、同じく前述のＡＥ処理により前ステップで測定された被写体の明るさからＢｖ値（被写体輝度）が算出される。
Ｓ３０３では、ストロボの使用／未使用の何れが設定されているかが判定され、その判定結果がストロボの使用である場合はＳ３０４へ処理が進み、ストロボの未使用である場合はＩＳＯ１００相当の感度が設定されてＳ３０６へ処理が進む。尚、ストロボの使用／未使用の設定は、例えばメニューボタンの押下により表示された設定メニューを介して撮影者により指示されたものである。また、本実施形態において、感度とは、撮像素子４の出力信号である撮像信号の信号レベルを調整するために設定されるゲインのことを言う（以下、同じ）。
【００３９】
Ｓ３０４では、詳しくは図４を用いて後述するが、設定されている撮影シーンモードとズーム比に応じてストロボＡ１８又はストロボＢ１９の何れかが選択される。尚、設定されている撮影シーンモードは、例えばシーン切り替えボタンの押下により撮影者により指示されたモードである。また、設定されているズーム比は、例えばズームボタンの押下により撮影者により指示されたものである。
【００４０】
Ｓ３０５では、詳しくは図５(a) を用いて後述するが、設定されている撮影シーンモードに応じて感度が選択される。
Ｓ３０６では、実際の撮影に係る処理が行われる。
すなわち、ストロボの使用が選択されているときには、前述のＳ３０４で選択されたストロボが発光され、そのときに撮像素子４に結像されている被写体像が電気信号に光電変換され、該電気信号である撮像信号の信号レベルが、前述のＳ３０５の処理で選択された感度に応じて調整され、更にデジタル電気信号にＡ／Ｄ変換される。
【００４１】
又は、ストロボの未使用が選択されているときには、ストロボの発光は行われず、撮像素子４に結像されている被写体像が電気信号に光電変換され、該電気信号である撮像信号の信号レベルが、ＩＳＯ１００相当の感度に応じて調整され、更にデジタル電気信号にＡ／Ｄ変換される。
【００４２】
そして、このようにして得られたデジタル電気信号である画像データに対し、前述の画像処理部７による画像処理や、圧縮伸長部８による圧縮処理、等といった処理が行われる。
Ｓ３０７では、前ステップで得られた画像データがメモリカード１３に記録され、本フローが終了する。
【００４３】
続いて、前述のＳ３０４の処理である、設定されている撮影シーンモードとズーム比に応じて、ストロボＡ１８又はストロボＢ１９の何れかが選択される処理について説明する。
図４は、そのＳ３０４の処理内容の一例を示すフローチャートである。
【００４４】
同図において、まず、Ｓ４０１では、設定されているストロボモードがオートストロボモードであるか否かが判定され、その判定結果がＹｅｓの場合には、Ｓ４０３へ処理が進み、Ｎｏの場合（マニュアルストロボモードの場合）にはＳ４０２へ処理が進む。尚、設定されているストロボモードは、例えばメニューボタンの押下により表示された設定メニューを介して撮影者により指示されたモードである。
【００４５】
Ｓ４０２では、予め設定されているストロボが、使用するストロボとして選択され、本フローがリターンする。尚、予め設定されているストロボは、例えばメニューボタンの押下により表示された設定メニューを介して撮影者により指示されたストロボである。
【００４６】
これにより、例えば、撮影者によりマニュアルストロボモードが指示されて所定のストロボが指示されたときには、その指示されたストロボが、使用するストロボとして選択される。
Ｓ４０３では、撮影シーンモードがオートモードであるか否かが判定され、その判定結果がＹｅｓの場合には基準ズーム比を４倍に設定してＳ４０４へ処理が進み、Ｎｏの場合にはＳ４０７へ処理が進む。
【００４７】
尚、基準ズーム比とは、設定されているズーム比に応じてストロボＡ１８又はストロボＢ１９の何れかを選択する際の、その選択の基準となるズーム比のことである。本実施形態では、設定されているズーム比が基準ズーム比よりも小さいときにはストロボＡ１８が選択され、それが基準ズーム比以上であるときにはストロボＢ１９が選択されるように制御される。
【００４８】
Ｓ４０４では、ズーム比（Ｚ）が基準ズーム比である４倍より小さい（Ｚ＜４）か否かが判定され、その判定結果がＹｅｓの場合にはＳ４０５へ処理が進み、Ｎｏの場合にはＳ４０６へ処理が進む。
Ｓ４０５では、ストロボＡ１８が選択され、本フローがリターンする。
【００４９】
Ｓ４０６では、ストロボＢ１９が選択され、本フローがリターンする。
これにより、ストロボモードとしてオートストロボモードが設定され、撮影シーンモードとしてオートモードが設定されたときには、基準ズーム比が４倍に設定され、設定されているズーム比が４倍より小さいときは、主にワイド側のズーム比に適した配光特性を有するストロボＡ１８が選択され、それが４倍以上であるときは、主にテレ側のズーム比に適した配光特性を有するストロボＢ１９が選択されるようになる。
【００５０】
Ｓ４０７では、撮影シーンモードが高感度モードであるか否かが判定され、その判定結果がＹｅｓの場合には基準ズーム比を６倍に設定してＳ４０８へ処理が進み、Ｎｏの場合（ポートレートモードの場合）には基準ズーム比を３倍に設定してＳ４０９へ処理が進む。
【００５１】
Ｓ４０８では、ズーム比が基準ズーム比である６倍より小さい（Ｚ＜６）か否かが判定され、その判定結果がＹｅｓの場合にはＳ４０５へ処理が進み、Ｎｏの場合にはＳ４０６へ処理が進む。
これにより、ストロボモードとしてオートストロボモードが設定され、撮影シーンモードとして高感度モードが設定されたときには、基準ズーム比が６倍に設定され、設定されているズーム比が６倍より小さいときは、主にワイド側のズーム比に適した配光特性を有するストロボＡ１８が選択され、それが６倍以上であるときは、主にテレ側のズーム比に適した配光特性を有するストロボＢ１９が選択されるようになる。従って、ズーム比がテレ側に指示されても（但し、Ｚ＜６）、高い感度が設定されるようになり、高感度撮影という撮影者の撮影意図を反映させることが可能になる。
【００５２】
Ｓ４０９では、ポートレートモードにてズーム比が基準ズーム比である３倍より小さい（Ｚ＜３）か否かが判定され、その判定結果がＹｅｓの場合にはＳ４０５へ処理が進み、Ｎｏの場合にはＳ４０６へ処理が進む。
これにより、ストロボモードとしてオートストロボモードが設定され、撮影シーンモードとしてポートレートモードが設定されたときには、基準ズーム比が３倍に設定され、設定されているズーム比が３倍より小さいときは、主にワイド側のズーム比に適した配光特性を有するストロボＡ１８が選択され、それが３倍以上であるときは、主にテレ側のズーム比に適した配光特性を有するストロボＢ１９が選択されるようになる。従って、ズーム比がワイド側に指示されても（但し、Ｚ≧３）、Ｓ／Ｎ比の劣化の少ない低い感度が設定されるようになり、ポートレート撮影という撮影者の撮影意図を反映させることが可能になる。
【００５３】
尚、本フローでは、設定されている撮影モードに応じて自動的に基準ズーム比が設定される例を示したが、例えば、メニューボタンの押下により表示された設定メニューを介して撮影者が指示することも可能である。この場合には、設定されている撮影モードに関わらず、指示された基準ズーム比が優先的に設定されるようになる。
【００５４】
続いて、前述のＳ３０５の処理である、設定されている撮影シーンモードに応じて感度が設定される処理について説明する。
図５(a) は、そのＳ３０５の処理内容の一例を示すフローチャートであり、同図(b) は、同図(a) の処理により決定される撮影シーンモードと感度範囲の関係を示した図である。
【００５５】
同図(a) において、まず、Ｓ５０１では、感度の上限が設定されているか否かが判定され、その判定結果がＹｅｓの場合にはＳ５０２へ処理が進み、Ｎｏの場合にはＳ５０４へ処理が進む。尚、設定されている感度の上限は、例えばメニューボタンの押下により表示された設定メニューを介して撮影者により指示されたものである。
【００５６】
Ｓ５０２では、設定されている感度の上限が、上限感度として設定され、Ｓ５０３へ処理が進む。
このように、例えば撮影者により感度の上限が指示されていたときには、設定されている撮影モードに関わらず、指示されている感度の上限が優先的に上限感度として設定される。
【００５７】
Ｓ５０３では、設定されている上限感度の範囲内で、前述のＳ３０２の処理で算出されたＢｖ値に応じた感度が選択され、本フローがリターンする。
Ｓ５０４では、設定されている撮影モードがオートモードであるか否かが判定され、その判定結果がＹｅｓの場合はＳ５０５へ処理が進み、Ｎｏの場合にはＳ５０６へ処理が進む。
【００５８】
Ｓ５０５では、ＩＳＯ４００相当の感度が、上限感度として設定され、Ｓ５０３へ処理が進む。
これにより、オートモードが設定されているときには、ＩＳＯ４００相当の感度を上限感度とする範囲内で、Ｂｖ値に応じた感度が設定されるようになる。
【００５９】
Ｓ５０６では、設定されている撮影モードが高感度モードであるか否かが判定され、その判定結果がＹｅｓの場合はＳ５０７へ処理が進み、Ｎｏの場合（ポートレートモードの場合）にはＳ５０８へ処理が進む。
Ｓ５０７では、ＩＳＯ８００相当の感度が、上限感度として設定され、Ｓ５０３へ処理が進む。
【００６０】
これにより、高感度モードが設定されているときには、高感度であるＩＳＯ８００相当の感度を上限感度とする範囲内で、Ｂｖ値に応じた感度が設定されるようになる。
Ｓ５０８では、ＩＳＯ２００相当の感度が、上限感度として設定され、Ｓ５０３へ処理が進む。
【００６１】
これにより、ポートレートモードが設定されているときには、Ｓ／Ｎ比の劣化の少ない低感度であるＩＳＯ２００相当の感度を上限感度とする範囲内で、Ｂｖ値に応じた感度が設定されるようになる。すなわち、ポートレートモードが設定されているときは、他の撮影モードが選択されているときよりも、感度の上限が低く設定される。
【００６２】
以上の処理により、同図(b) に示したように、予め感度の上限が設定されていない場合に撮影シーンモードとしてオートモードが設定されていたときには、ＩＳＯ４００相当の上限感度が設定され、ＩＳＯ５０乃至ＩＳＯ４００相当の範囲内（但し、ＩＳＯ５０，１００，２００，４００の何れか）で、Ｂｖ値に応じた感度が設定されるようになる。また、その場合に撮影シーンモードとしてポートレートモードが設定されていたときには、ＩＳＯ２００相当の上限感度が設定され、ＩＳＯ５０乃至ＩＳＯ２００相当の範囲内（但し、ＩＳＯ５０，１００，２００の何れか）で、Ｂｖ値に応じた感度が設定されるようになる。また、その場合に撮影シーンモードとして高感度モードが設定されていたときには、ＩＳＯ８００相当の上限感度が設定され、ＩＳＯ５０乃至ＩＳＯ８００相当の範囲内（但し、ＩＳＯ５０，１００，２００，４００，８００の何れか）で、Ｂｖ値に応じた感度が設定されるようになる。
【００６３】
このように、以上の図３、図４、及び図５(b) の撮影処理が実行されることによって、設定されている撮影モードとズーム比に応じて、使用するストロボが選択され、また設定されている撮影モードに応じて、被写体輝度に応じたゲインが設定されて、撮影が行われるようになる。これにより、撮影者の撮影意図に合わせて、適切なストロボ選択及び適切なゲインアップが可能になる。
【００６４】
次に、上述の図３、図４、及び図５(b) に示した撮影処理が実行されたときに選択されるストロボ及び感度の具体例について、図６(a),(b),(c),(d),(e) 用いて説明する。
図６(a) 乃至(e) は、上述の撮影処理が実行されたときの具体例を説明する図であり、撮影モードに対応し、設定されているズーム比と被写体距離に応じて選択されるストロボと設定される感度の例を示している。
【００６５】
但し、同図(a),(c),(e) は、上述の撮影処理に係る図であり、同図(b),(d) は従来の撮影処理に係る図である。また、同図(a),(c),(e) において、マニュアルストロボモードの指示や上限感度の指示は行われていないものとする。
また、同図(a) 乃至(e) において、縦軸は被写体距離Ｌを、横軸はズーム比を表している。また横軸において、Ｗはワイド側を、Ｔはテレ側を表し、Ｎ０，Ｎ１，Ｎ２は基準ズーム比を、×１，×３，×４，×６，×８は１倍，３倍，４倍，６倍，８倍のズーム比を表している。また、５０，１００，２００，４００，８００は、ＩＳＯ相当の感度を表している。
【００６６】
同図(a) は、撮影モードとしてオートモードが設定されているときに選択されるストロボ及び感度の具体例を示した図である。
同図(a) に示した例では、設定されているオートモードに応じて基準ズーム比が４倍（Ｎ０の位置）に設定されると共に上限感度がＩＳＯ４００相当の感度に設定される。
【００６７】
尚、同図(a) のＩＳＯ５０乃至４００相当毎の４つのカーブは、各感度において、適正輝度に撮影される最大の被写体距離を示すカーブである。このカーブより下の領域であれば、その感度で適正に撮影されることを示す。同図(a) に示したように、感度が高くなるに従って、最大の被写体距離が長くなる。また、この最大の被写体距離は、ズーム比が大きくなるに従って、短くなる。また、これらのカーブは、選択されるストロボＡ１８又はストロボＢ１９によっても異なる。前述した通り、ストロボＢ１９の方が配光角度が狭いので、同一のズーム比でも到達距離が長いからである。
【００６８】
例えば、設定されたズーム比及び被写体距離が、同図(a) 上の点イの値であったとする。この場合、ストロボは、点イのズーム比が基準ズーム比より小さいので、ストロボＡ１８が選択される。感度は、点イの被写体距離が同図(a) のＩＳＯ２００相当の感度のカーブより上でかつＩＳＯ４００相当の感度のカーブよりも下に属するので、ＩＳＯ４００相当の感度が選択される。
【００６９】
また、同図(b),(c) は、撮影モードとしてポートレートモードが設定されているときに選択されるストロボ及び感度の具体例を示した図である。但し、同図(b) は従来の撮影処理に係る具体例を示した図、同図(c) は上述の撮影処理に係る具体例を示した図である。また、同図(b),(c) において、点ロ及び点ハの被写体及び被写体距離は同一のものとする。また、ＩＳＯ５０相当乃至ＩＳＯ２００相当の感度毎のカーブについては前述した通りである（同図(c) において同じ）。
【００７０】
従来の撮影処理に係る同図(b) に示した例は、設定されている撮影モードの如何に関わらず、基準ズーム比が一律に中間ズーム比（この場合は４倍）に設定され、また所定距離離れた被写体の明るさと設定されているズーム比に基づいて、選択されるストロボと感度を示す点ロが決定された例である。すなわち、この場合には、設定されているズーム比が基準ズーム比より小さくなるのでストロボＡ１８が選択され、また、被写体の明るさに基づいてＩＳＯ２００相当の感度が選択される。尚、従来の撮影処理においては、上限感度の設定が行われないので、撮影状況によってはＩＳＯ４００相当以上の感度が設定される可能性もあり、ポートレートモードのような画質を優先するモードであるにも関わらず、高い感度が設定されてＳ／Ｎ比が劣化し、撮影者の撮影意図を反映することができなくなる虞がある。
【００７１】
一方、図３等の上述の撮影処理に係る図６(c) に示した例では、設定されているポートレートモードに応じて基準ズーム比が３倍（Ｎ１の位置）に設定されると共に上限感度がＩＳＯ２００相当の感度に設定され、また所定距離離れた被写体の明るさと設定されているズーム比に基づいて、選択されるストロボと感度を示す点ハ（この場合は同図(b) の点ロと同じ位置）が決定された例である。すなわち、この場合には、設定されているズーム比が基準ズーム比より大きくなるのでストロボＢ１９が選択され、また、被写体の明るさに基づいてＩＳＯ１００相当の感度が選択される。このように、上述の撮影処理によれば、従来の撮影処理の場合とは異なり、テレ側のズーム比に適したストロボＢ１９を使用してストロボ光を遠くまで照射して被写体を明るくし、低い感度を選択させることが可能になる。従って、ポートレートモードという画質を優先するモードに適切な低い感度を選択させることが可能になり、撮影者の撮影意図を反映することが可能になる。
【００７２】
また、同図(d),(e) は、撮影モードとして高感度モードが設定されているときに選択されるストロボ及び感度の具体例を示した図である。但し、同図(d) は従来の撮影処理に係る具体例を示した図、同図(e) は上述の撮影処理に係る具体例を示した図である。また、同図(d),(e) において、点ニ及び点ホの被写体及び被写体距離は同一のものとする。また、ＩＳＯ５０相当乃至ＩＳＯ８００相当の感度毎のカーブについては前述した通りである（同図(ｅ) において同じ）。
【００７３】
従来の撮影処理に係る同図(d) に示した例では、撮影モードの如何に関わらず、基準ズーム比が一律に中間ズーム比（この場合は４倍）に設定され、また所定距離離れた被写体の明るさと設定されているズーム比に基づいて、選択されるストロボと感度を示す点ニが決定された例である。すなわち、この場合には、設定されているズーム比が基準ズーム比より大きいのでストロボＢ１９が選択され、また、被写体の明るさに基づいてＩＳＯ４００相当の感度が選択される。
【００７４】
一方、図３等の上述の撮影処理に係る図６(e) に示した例では、設定されている高感度モードに応じて基準ズーム比が６倍（Ｎ２の位置）に設定されると共に上限感度がＩＳＯ８００相当の感度に設定され、また所定距離離れた被写体の明るさと設定されているズーム比に基づいて、選択されるストロボと感度を示す点ホ（この場合は同図(d) の点ニと同じ位置）が決定された例である。すなわち、この場合には、設定されているズーム比が基準ズーム比より小さいのでストロボＡ１８が選択され、また、被写体の明るさに基づいてＩＳＯ８００相当の感度が選択される。このように、上述の撮影処理によれば、従来の撮影処理の場合とは異なり、ワイド側のズーム比に適したストロボＡ１８を使用して照明範囲を広くして撮影を行うことが可能になる。従って、高感度モードという高感度撮影に適切な高い感度を選択させることが可能になり、撮影者の撮影意図を反映することが可能になる。
【００７５】
尚、本実施形態では、図１に示した２つのストロボを備えたデジタルカメラにおいて図３、図４及び図５(a) に示した撮影処理が実行される例を示したが、例えば、１つのストロボを備えたデジタルカメラの場合には、その撮影処理においてＳ３０４の処理をスキップさせ、備えられている１つのストロボを、使用するストロボとして処理を実行させるようにすれば良い。また、ストロボを備えていないデジタルカメラの場合には、その撮影処理においてＳ３０４の処理をスキップさせて処理を実行させるようにすれば良い。これにより、１つのストロボを備えたデジタルカメラやストロボを備えていないデジタルカメラにおいても、設定されている撮影モードに応じて上限感度が設定され、その範囲内で被写体輝度に応じた感度が設定されるようになり、撮影者の撮影意図を反映させるのに最適な感度を設定することが可能になる。
【００７６】
また、本実施形態では、撮像素子４からの出力信号であるアナログ電気信号の信号レベルを調整することによりゲインアップを行うものであったが、例えば、撮像素子４からの出力信号に基づくデジタル電気信号である画像データに対し所定の画像処理を行うことにより、ゲインアップと同等の効果が得られるように構成するようにしても良い。
【００７７】
以上、本発明のデジタルカメラについて詳細に説明したが、本発明は上記実施形態に限定されず、本発明の要旨を逸脱しない範囲において、各種の改良及び変更を行っても良いのはもちろんである。
【００７８】
【発明の効果】
以上、詳細に説明したように、本発明によれば、配光特性の異なる２種類のストロボを備えたデジタルカメラにおいては、撮影者の撮影意図に合わせて適切なストロボを選択することができる。
【図面の簡単な説明】
【図１】本発明の一実施の形態に係るデジタルカメラの構成例である。
【図２】  (a) はストロボＡの配光特性と照射角を示した図、(b) はストロボＢの配光特性と照射角を示した図である。
【図３】撮影処理の処理内容の一例を示すフローチャートである。
【図４】Ｓ３０４の処理の処理内容の一例を示すフローチャートである。
【図５】  (a) はＳ３０５の処理の処理内容の一例を示すフローチャートであり、(b) は(a) の処理により決定される撮影シーンモードと感度範囲の関係を示した図である。
【図６】  (a),(b),(c),(d),(e) は、撮影処理が実行されたときの具体例を説明する図である。
【符号の説明】
１      撮影レンズ部
２      ズーム用レンズ部
３      フォーカス用レンズ部
４      撮像素子
５      想像部
６      ＤＲＡＭ
７      画像処理部
８      圧縮伸長部
９      ＬＣＤディスプレイ
１０    ＡＦ／ＡＥ部
１１    ＣＰＵ
１２    バス
１３    メモリカード
１４    フラッシュメモリ
１５，１６  駆動モータ／回路部
１７    ストロボ制御／切り替え回路
１８    ストロボＡ
１８ａ  発光部
１８ｂ  リフレクタ
１９    ストロボＢ
１９ａ  発光部
１９ｂ  リフレクタ
２０    操作手段
【図１】
0004061106.tif 000002
【図２】
0004061106.tif 000003
【図３】
0004061106.tif 000004
【図４】
0004061106.tif 000005
【図５】
0004061106.tif 000006
【図６】
0004061106.tif 000007